(57)【要約】      （修正有）【課題】転写残トナーの発生を抑えることができる画像形成装置を提供する。【解決手段】空気中の水分量が第１状態よりも高い第２状態である場合に、現像ローラ電圧Ｖｄｃと現像ブレード電圧Ｖｂとの電位差ΔＶｂ＝｜Ｖｂ−Ｖｄｃ｜（現像剤層厚規制部材コントラスト）が第１状態における電位差ΔＶｂの値より大きくなるように現像ブレード電圧および現像ローラ電圧の少なくとも一方を変更し、さらに電位差ΔＶｔｒ＝｜Ｖｔｒ−Ｖｌ｜の値が第１状態のときの電位差ΔＶｔｒの値より大きくなるように電位差ΔＶｂの変化に応じて転写電圧Ｖｔｒと露光後電位Ｖｌの少なくとも一方を変更する処理と、を行う。【選択図】図１
2020140125.tif 000002
【特許請求の範囲】
【請求項１】
現像剤を担持する像担持体と、現像剤像を形成するための現像剤を、外周面上に保持する現像剤担持体と、前記現像剤担持体の表面に当接して、現像剤を所定の層厚に規制する現像剤層厚規制部材と、前記像担持体上の前記現像剤像を被転写体に転写する転写手段と、を有する画像形成装置において、
前記現像剤担持体に電圧Ｖｄｃと、前記現像剤層厚規制部材に電圧Ｖｂと、前記転写手段に転写電圧Ｖｔｒと、を印加する電圧印加手段と、
前記像担持体に光を照射する露光手段と、
空気中の水分量特性を検知する検知手段と、
前記露光手段の露光による露光後電位Ｖｌを制御する制御手段と、を有しており、
前記制御手段は、前記検知手段により検知された空気中の水分量が第１状態よりも増加した第２状態である場合に、前記電圧印加手段を制御し、前記電圧Ｖｄｃと前記電圧Ｖｂとの電位差ΔＶｂ（＝｜Ｖｂ−Ｖｄｃ｜）が、前記第１状態における前記電位差ΔＶｂの値より大きくなるように、前記電圧Ｖｂおよび前記電圧Ｖｄｃの少なくとも一方を変更し、
更に、前記制御手段は、前記電圧印加手段或いは前記露光手段を制御し、転写電圧Ｖｔｒと露光後電位Ｖｌの少なくとも一方を変更し、電位差ΔＶｔｒ（＝｜Ｖｔｒ−Ｖｌ｜）の値が第１状態の電位差ΔＶｔｒの値より大きくさせることを特徴とする画像形成装置。
【請求項２】
前記転写手段は、
前記像担持体に形成された前記現像剤像が転写される前記被転写体であるところの中間転写体と、
前記中間転写体の内周面で前記像担持体に対向する側から接触する複数の接触部材と、
前記中間転写体を張架する複数の張架部材と、
前記中間転写体に接触し前記中間転写体に電流を供給する電流供給部材と、
少なくとも一つの前記張架部材と前記接触部材に接続される電圧維持素子と、
を有し、
前記電流供給部材から前記中間転写体に流れる電流によって、所定の電位以上を維持し前記複数の接触部材に前記転写電圧Ｖｔｒが印加されるよう構成されている、
ことを特徴とする請求項１に記載の画像形成装置。
【請求項３】
前記制御手段は、空気中の水分量が前記第２状態である場合に、前記電圧Ｖｂの絶対値を前記第１状態のときよりも大きくすることで層厚規制部材コントラストを大きくすることを特徴とする請求項１に記載の画像形成装置。
【請求項４】
前記制御手段は、空気中の水分量が前記第２状態である場合に、前記電圧Ｖｄｃの絶対値を前記第１状態のときよりも小さくすることで層厚規制部材コントラストを大きくすることを特徴とする請求項１に記載の画像形成装置。
【請求項５】
前記制御手段は、空気中の水分量が前記第２状態である場合に、前記転写電圧の絶対値を前記第１状態のときよりも大きくすることで転写コントラストを大きくすることを特徴とする請求項１に記載の画像形成装置。
【請求項６】
前記制御手段は、空気中の水分量が前記第２状態である場合に、前記露光後電位の絶対値を前記第１状態のときよりも大きくすることで転写コントラストを大きくすることを特徴とする請求項１に記載の画像形成装置。
【請求項７】
前記制御手段は、空気中の水分量を検知する環境センサをさらに備え、前記環境センサの検知結果に基づいて、前記電圧Ｖｂと前記電圧Ｖｄｃと前記転写電圧Ｖｔｒと前記露光後電位Ｖｌの少なくとも一方を変更することを特徴とする請求項１に記載の画像形成装置。
【請求項８】
転写後に前記像担持体に残留した現像剤を現像剤担持体で回収することを特徴とする請求項１に記載の画像形成装置。
【請求項９】
前記現像剤は一成分現像剤であることを特徴とする請求項１乃至８のいずれか一項に記載の画像形成装置。
【発明の詳細な説明】
【技術分野】
【０００１】
記録材に画像を形成する電子写真プリンター、電子写真複写機などの画像形成装置に関するものである。
【背景技術】
【０００２】
画像形成装置において、現像剤担持体（以下、現像ローラとする）を有する現像装置、又はこの現像装置と像担持体（以下、感光ドラムとする）を有するプロセスカートリッジを画像形成装置に着脱可能とする構成が知られている。
【０００３】
電子写真画像形成プロセスを用いた画像形成装置では、まず、感光ドラムに当接させた帯電部材に電圧を印加して感光ドラムの帯電を行った後、露光によって感光ドラム上に静電潜像を形成する。次に、現像ローラの表面にトナー（現像剤）を付着させ、トナー層厚規制部材によって現像ローラ上のトナーの層厚に規制する。そして、像担持体上に形成された静電潜像を現像ローラ上に担持されたトナーで現像し、トナー像（現像剤像）として可視化した後、それを被転写体（記録材等）に転写し、定着器でトナー像を被転写体に定着させる。
【０００４】
また、画像形成を行う上では、環境変化に依存して、電圧や転写速度等の制御パラメータを変更することも多い。そして環境変化の代表例が空気中の水分量である。一般的に、空気中の水分量が増加すると、トナーの帯電量が低下してしまう。これは、トナーのトリボ分布がポジ側に移ることを意味し、感光ドラム−現像ローラ間の電位差による静電気力影響を受けず、感光ドラム−トナー間の鏡映力等により感光ドラムに移動してしまうトナーの比率が増加してしまう。また、トリボ分布における非正規極性に帯電したトナーの比率も増え、これらにより、本来トナーを転移させたくない感光ドラム上の非画像部にも、トナーが転移し、本来白であるところにトナーが載り黒にみえてしまうカブリと呼ばれる現象が発生していた。特に、高温高湿環境下において、このような不具合が発生しやすい。
【０００５】
そして、従来、上記不具合に対して、制御パラメータの一つであるトナー層厚規制部材の電圧を増加させることで問題を解決していた（特許文献１）。また、空気中の水分量が増加したときに、一次転写電圧を低下させるような従来技術も知られている。これは感光ドラムのインピーダンスが下がることに起因し、転写電流を一定に保つ為である。
【０００６】
一方最近では、環境への配慮やコストの削減から、残トナーを回収して再利用するなどのクリーナーレス構成も実施されている。この場合も、クリーニング装置を有している場合と同様に、空気中の水分量の増加に伴い、一次転写電圧を低下させていた。
【先行技術文献】
【特許文献】
【０００７】
【特許文献１】特開２００９−２８８５３９号公報
【発明の概要】
【発明が解決しようとする課題】
【０００８】
しかしながら、高湿高温の場合に現像ローラとトナー層厚規制部材との電圧差（現像剤層厚規制部材コントラスト）（以下ΔＶｂと記載する）の絶対値を大きくした場合、以下の不具合が発生することが発明者の鋭意検討によって発見された。
【０００９】
トナーはトナー層厚規制部材に擦られることによって摩擦帯電するが、小粒径のトナーのほうが電荷をもちやすい。そのため、ΔＶｂを大きくした場合に、静電力により現像ローラに対する付着力が増すことで、トナー層厚規制部材で粒径の小さなトナーがトナー層厚規制部材で規制されにくくなる。その結果、感光ドラム上へ現像されるトナーの粒径が小さくなり転写性が悪化してしまう。即ち、転写後における感光ドラム上の転写残トナーが増加する。
【００１０】
転写残トナーが増加すると、例えば、クリーナーレスシステムでは、転写残トナーが帯電ローラに付着してしまい、帯電ローラの放電を阻害するなどの不具合が発生する。また、クリーニング装置が設けられている場合でも、廃トナーボックスに多くの残トナーが回収されるので、廃トナーボックスの大型化を招いたり、或いは廃トナーボックスを大型化しなくとも、その交換頻度を高くする必要に迫られる。即ち、ユーザビリティーを低下させてしまう。
【課題を解決するための手段】
【００１１】
本発明における画像形成装置は、現像剤を担持する像担持体と、現像剤像を形成するための現像剤を、外周面上に保持する現像剤担持体と、前記現像剤担持体の表面に当接して、現像剤を所定の層厚に規制する現像剤層厚規制部材と、前記像担持体上の前記現像剤像を被転写体に転写する転写手段と、を有する画像形成装置において、前記現像剤担持体に電圧Ｖｄｃと、前記現像剤層厚規制部材に電圧Ｖｂと、前記転写手段に転写電圧Ｖｔｒと、を印加する電圧印加手段と、前記像担持体に光を照射する露光手段と、空気中の水分量特性を検知する検知手段と、前記露光手段の露光による露光後電位Ｖｌを制御する制御手段と、を有しており、前記制御手段は、前記検知手段により検知された空気中の水分量が第１状態よりも増加した第２状態である場合に、前記電圧印加手段を制御し、前記電圧Ｖｄｃと前記電圧Ｖｂとの電位差ΔＶｂ（＝｜Ｖｂ−Ｖｄｃ｜）が、前記第１状態における前記電位差ΔＶｂの値より大きくなるように、前記電圧Ｖｂおよび前記電圧Ｖｄｃの少なくとも一方を変更し、更に、前記制御手段は、前記電圧印加手段或いは前記露光手段を制御し、転写電圧Ｖｔｒと露光後電位Ｖｌの少なくとも一方を変更し、電位差ΔＶｔｒ（＝｜Ｖｔｒ−Ｖｌ｜）の値が第１状態の電位差ΔＶｔｒの値より大きくさせることを特徴とする画像形成装置。
【発明の効果】
【００１２】
本願発明は上記問題点に鑑みてなされたものであり、なるべく転写残トナーの発生を抑えることを目的とする。
【図面の簡単な説明】
【００１３】
【図１】実施例１における水分量変化による電圧変化のタイミングチャートを示す図
【図２】実施例１に係る画像形成装置の構成を示す断面図
【図３】画像形成装置のハードウェア構成を示すブロック図
【図４】実施例１に係る現像ユニットを説明する断面図
【図５】トナー粒径分布を説明する図
【図６】比較例に係る水分量変化による電圧変化のタイミングチャートを示す図
【図７】実施例１に係る連続的に水分量が変化した場合の電圧変化のタイミングチャートを示す図
【図８】実施例２における水分量変化による電圧変化のタイミングチャートを示す図
【図９】実施例２に係る一次転写と二次転写の電源を共通とした場合の画像形成装置の構成を示す断面図
【図１０】実施例２に係る連続的に水分量が変化した場合の電圧変化のタイミングチャートを示す図
【図１１】直接転写方式を用いた画像形成装置の構成を説明する断面図
【発明を実施するための形態】
【００１４】
［実施例１］
＜画像形成装置の説明＞
まず、電子写真画像形成装置（以下、画像形成装置）の全体構成について説明する。図２は、実施例１に係る画像形成装置の構成を示す断面図である。図３は画像形成装置のハードウェア構成を示すブロック図である。図２、３を用いて本実施例の画像形成装置の構成及び動作、制御を説明する。
【００１５】
本実施例の画像形成装置１００は、インライン方式、中間転写方式を採用したフルカラーレーザープリンタである。画像形成装置１００は、画像情報にしたがって、記録材Ｐ（例えば、記録用紙、プラスチックシート）にフルカラー画像を形成することができる。画像情報は、画像読み取り装置、或いは、画像形成装置１００に通信可能に接続されたパーソナルコンピュータ等のホスト機器から、画像形成装置１００に入力される。
【００１６】
画像形成装置１００は、複数の画像形成部として、それぞれイエロー（Ｙ）、マゼンタ（Ｍ）、シアン（Ｃ）、ブラック（Ｋ）の各色の画像を形成するための第１、第２、第３、第４のプロセスカートリッジＳａ、Ｓｂ、Ｓｃ、Ｓｄを有する。本実施例では、第１〜第４のプロセスカートリッジＳａ、Ｓｂ、Ｓｃ、Ｓｄは、鉛直方向と交差する方向に一列に配置されている。なお、第１〜第４のプロセスカートリッジＳａ、Ｓｂ、Ｓｃ、Ｓｄの構成及び動作は、形成する画像の色が異なることを除いて実質的に同じである。したがって、以下、特に区別を要しない場合は、いずれかの色用に設けられた要素であることを表すために符号に与えた添え字ａ、ｂ、ｃ、ｄは省略して、総括的に説明する。
【００１７】
本実施例では、各プロセスカートリッジは、感光ドラム１（１ａ、１ｂ、１ｃ、１ｄ）を有する。各感光ドラム１は、図示しない駆動手段（駆動源）により回転駆動される。また各感光ドラム１の周囲には、帯電ローラ２（２ａ、２ｂ、２ｃ、２ｄ）、スキャナユニット（露光装置）３（３ａ、３ｂ、３ｃ、３ｄ）、現像ユニット（現像装置）４（４ａ、４ｂ、４ｃ、４ｄ）が配置されている。帯電ローラ２は、感光ドラム１の表面を均―に帯電する帯電手段である。また、スキャナユニット３は、入力された画像情報に基づくレーザー照射を感光ドラム１上に行い、静電像（静電潜像）を形成する露光手段である。現像ユニット４は、静電像を現像剤（以下、トナー）像として現像する現像手段である。また上記現像剤は、非磁性の一成分現像剤であり、本実施例の場合、非磁性一成分トナーは負帯電特性である。そして、感光ドラム１と、感光ドラム１に作用するプロセス手段としての帯電ローラ２、現像ユニット４は一体化され、プロセスカートリッジＳを形成している。プロセスカートリッジＳは、画像形成装置１００に設けられた装着ガイド、位置決め部材などの装着手段を介して、画像形成装置１００に着脱可能となっている。
【００１８】
また、４個の感光ドラム１に対向して、感光ドラム１上のトナー像を記録材Ｐに転写するための移動可能な中間転写体としての中間転写ベルト１０が配置されている。無端状のベルトで形成された中間転写ベルト１０は、すべての感光ドラム１に当接し、図示矢印Ｒ３方向（時計方向）に循環移動（回転）する。中間転写ベルト１０は、複数の支持部材として、二次転写対向ローラ１３、駆動ローラ１１、テンションローラ１２に掛け渡されている。なお、本実施例では、一例として、画像形成装置１００は、プロセススピード１４８ｍｍ／ｓｅｃ、Ａ４サイズ紙対応のプリンターとなっており、感光ドラム、中間転写ベルト１０もこれに対応して動作する。
【００１９】
中間転写ベルト５の内周面側には、各感光ドラム１に対向するように、一次転写手段としての、４個の一次転写ローラ１４（１４ａ、１４ｂ、１４ｃ、１４ｄ）が並設されている。
【００２０】
一次転写ローラ１４は、中間転写ベルト１０を感光ドラム１に向けて押圧し、中間転写ベルト１０と感光ドラム１とが当接する一次転写部を形成する。そして一次転写ローラ１４に、一次転写電圧印加手段としての一次転写電源１５（高圧電源）から、トナーの正規の帯電極性とは逆極性の電圧が印加される。これによって、感光ドラム１上のトナー像が中間転写ベルト１０上に一次転写される。フルカラー画像の形成時には、上述のプロセスが、第１〜第４のプロセスカートリッジＳａ、Ｓｂ、Ｓｃ、Ｓｄにおいて順次に行われ、中間転写ベルト１０上に各色のトナー像が次に重ね合わせて一次転写される。そして、一次転写工程後に感光ドラム１上に残留した一次転写残トナーは、後述のクリーナーレス方式によって除去、回収される。
【００２１】
また、中間転写ベルト１０の外周面側において二次転写対向ローラ１３に対向する位置には、二次転写手段としての二次転写ローラ２０が配置されている。二次転写ローラ２０は、中間転写ベルト１０を介して二次転写対向ローラ１３に圧接し、中間転写ベルト１０と二次転写ローラ１３とが当接する二次転写部を形成する。
【００２２】
そして、二次転写ローラ２０に、二次転写電圧印加手段としての二次転写電源２１（高圧電源）から、トナーの正規の帯電極性とは逆極性の電圧が印加される。そして、搬送ローラ５０によって搬送されてきた記録材Ｐにトナー像が転写される。これによって、トナー像が転写された記録材Ｐは、定着手段としての定着装置３０に搬送される。定着装置３０において記録材Ｐに熱及び圧力が加えられることで、記録材Ｐにトナー像が定着され、画像形成装置１００から排出される。
【００２３】
また、画像形成装置１００は、所望の一つの画像形成部のみを用いて、又は、幾つか（全てではない）の画像形成部のみを用いて、単色又は、マルチカラーの画像を形成することもできるようになっている。
【００２４】
＜画像形成装置のブロック図＞
本画像形成装置全体の制御を行うコントローラ２００を含むブロック図について図３を参照して説明する。図３に示すように、コントローラ２００は、ＣＰＵ１５０、ＲＯＭ１５１およびＲＡＭ１５２を内蔵する。ＣＰＵ１５０はＲＯＭ１５１に格納されている制御プログラムに応じて、各ブロックを制御する。各ブロックには図示されるように、トナー層厚規制部材電源１９、一次転写電源１５、二次転写電源２１、環境センサ２０６、現像電源２０３、水分量特性２０４、帯電電源が少なくとも含まれる。ＲＯＭ１５１は、例えば環境制御テーブルや紙厚制御テーブル等などを格納しており、ＣＰＵ１５０は適宜それら情報を読み込み制御に用いる。ＲＡＭ１５２は、制御データを一時的に保持し、また制御に伴う演算処理の作業領域として用いられる。
【００２５】
コントローラ２００は、ホストコンピュータ（不図示）から画像情報と印字命令を受信すると、受信した命令を基に、各ユニットを制御し画像形成動作を画像形成装置に実行させる。ここで各ユニットには、一次転写電源駆動回路２０１、二次転写電源駆動回路２０２、現像電源駆動回路２０３、露光制御部２０４、帯電電源駆動回路２０５等が含まれる。ここで、電源制御について、より具体的に説明すると、ＣＰＵ１５０は、各電源に含まれる電源駆動回路を制御する。各電源駆動回路には、図示されるように、トナー層厚保規制部材電源駆動回路２０７、一次転写電源駆動回路２０１、二次転写電源駆動回路２０２、現像電源駆動回路２０３、帯電電源駆動回路２０５が含まれる。更に具体的には、ＣＰＵ１５０は、各電源駆動回路内のスイッチング素子のＯＮ・ＯＦＦを制御し、デューティ比を変化させ、電源内コンデンサにより平滑化される電圧の大小を調整する。
【００２６】
＜プロセスカートリッジの構成＞
次に、本実施例の画像形成装置１００に装着されるプロセスカートリッジＳの全体構成について説明する。各色用のプロセスカートリッジＳは、図示しない識別部等を除き、同一形状を有し、各色用のプロセスカートリッジＳの現像ユニット４内には、それぞれイエロー（Ｙ）、マゼンタ（Ｍ）、シアン（Ｃ）、ブラック（Ｋ）の各色のトナーが収容されている。なお、現像ユニット４は、現像剤の一例として非磁性一成分トナーを用いた。
【００２７】
プロセスカートリッジＳは、感光ドラム１、回転可能な帯電ローラ２を備えた感光体ユニットと、回転可能な現像ローラ２２等を備えた現像ユニット（現像装置）４と、を一体化して構成される。
【００２８】
感光ドラム１は、図示しない駆動手段（駆動源）の駆動力が感光体ユニットに伝達されることで、画像形成動作に応じて図示矢印Ｒ１方向（反時計方向）に回転駆動される構成としている。帯電ローラ２は、導電性ゴムのローラ部が感光ドラム１に加圧接触し、従動回転する構成とされている。
【００２９】
一方、現像ユニット４は、図４に示すように、トナーＴを担持する現像ローラ２２と、現像ブレード２３（トナー層厚規制部材）と、これらを固定する現像枠体２４と、を有している。現像枠体２４は、現像ローラ２２が配置された現像室２４ａと、現像室２４ａから外界へつながる現像開口（開口部）を封止する吹き出し防止シート２４ｂと、を備えている。現像ブレード２３の一端は現像枠体２４に固定された固定部材２５に固定され、現像ブレード２３の他端が現像ローラ２２に当接させられ、現像ローラ２２上のトナーコート量規制と電荷付与が可能な構成とされている。また、現像ローラ６４にトナーを供給する役割をもつ供給ローラ２６と、を備えている。現像ローラ２２は現像開口部に配置され、感光ドラム１に当接可能とされている。
【００３０】
本実施例では、現像ローラ２２と感光ドラム１は、対向部において各々の表面が同方向（本実施例では重力方向上方からから下方に向かう方向）に移動するようにそれぞれ回転させる。なお、本実施例では、現像ローラ２２は、感光ドラム１に接触して配置されているが、現像ローラ２２は、感光ドラム１に対して所定間隔を開けて近接配置される構成であってもよい。
【００３１】
＜一次転写について＞
画像形成時で述べた一次転写工程に関して、本件の特徴に係る電位関係について詳細に説明する。まず感光ドラム１の表面は帯電ローラ２によって一様に所定の電位である被帯電電位Ｖｄに帯電される。なお、被帯電電位Ｖｄのことを暗部電位Ｖｄと呼ぶこともできる。次に、ホスト機器から入力された画像情報に基づいてスキャナユニット３から光照射されたレーザー光で帯電した感光ドラム１の表面を走査露光し、感光ドラム１上に画像情報に従った静電像が形成される。ここで感光ドラム１においてスキャナユニット３によってベタ黒画像を印字するための露光された部分の表面電位、露光後電位Ｖｌ（本実施例では−１００Ｖ）が形成される。その際はまた、コントローラ２００が露光制御部２０４を制御し、レーザーの光量を調整することで、露光後電位Ｖｌを変化させる（レーザーの光量が強いほどレーザー照射された露光後電位Ｖｌは低下する）。なお露光後電位Ｖｌのことを先に説明した暗部電位Ｖｄに対し明部電位Ｖｌと呼ぶこともある。
【００３２】
次に、感光ドラム１の外周面上に形成された静電像は、後述の現像ローラ電圧Ｖｄｃと露光後電位Ｖｌとの電位差（現像コントラストΔＶｃｏｎｔ＝Ｖｌ−Ｖｄｃ）によって、トナー像として現像される。そして、一次転写ローラ１４に、一次転写電圧印加手段としての一次転写電源１５（高圧電源）から、トナーの正規の帯電極性とは逆極性の所定の電位以上の直流電圧である一次転写電圧Ｖｔｒが印加される。このとき、ＶｔｒとＶｌの電位差（一次転写コントラストΔＶｔｒ＝｜Ｖｔｒ−Ｖｌ｜）が一次転写電界になり、感光ドラム１上のトナー像が中間転写ベルト１０上に一次転写される。本実施例においては被帯電電位Ｖｄ＝−７００ｖ、現像ローラ電圧Ｖｄｃ＝−３５０ｖである。なお、露光後電位Ｖｌと一次転写電圧Ｖｔｒに関しては本実施例の特徴に関する部分なので後ほど詳細に述べる。
【００３３】
次に、感光ドラム１上に形成された静電像は、後述の現像ローラ電圧Ｖｄｃと露光後電位Ｖｌとの電位差（現像コントラストΔＶｃｏｎｔ＝Ｖｌ−Ｖｄｃ）によってトナー像として現像される。そして、一次転写ローラ１４に、一次転写電圧印加手段としての一次転写電源１５（高圧電源）から、トナーの正規の帯電極性とは逆極性の所定の電位以上の直流電圧である一次転写電圧Ｖｔｒが印加される。このとき、ＶｔｒとＶｌの電位差（一次転写コントラストΔＶｔｒ＝｜Ｖｔｒ−Ｖｌ｜）が一次転写電界になり、感光ドラム１上のトナー像が中間転写ベルト１０上に移動し一次転写される。
【００３４】
＜クリーナーレス方式＞
本実施例では、画像形成装置１００は、クリーナーレス方式（クリーナーレスシステム）を採用しており、一次転写後の感光ドラムの表面に若干量残留する残留トナーを除去する専用の像担持体クリーニング装置を具備していない。
【００３５】
一次転写後の感光ドラム２の表面の残留トナーは、引き続く感光ドラム２の回転に伴い帯電部、露光部を通って現像部に搬送される。負極性に帯電した転写残トナーは、帯電部において電位差の関係（帯電ローラ２より感光ドラム１の表面電位のほうが高電位）で帯電ローラ２には付着せず通過することになる。
【００３６】
そして、現像装置４を通過する感光ドラム２の表面の残留トナーは、電圧の高いほうに移動するため（感光ドラム１の表面電位より現像ローラ２２の電圧のほうが高電位）、静電力の関係により、感光ドラム１の表面の残トナーは現像装置４に回収される。残トナーを回収するクリーニング装置が感光ドラム１表面に対向して設けられている場合に比べ、殆ど全て（少なくとも５０％以上）の残トナーが現像装置に回収される。そして、回収された残留トナーは、現像装置４内のトナーと混合されて使用される。
【００３７】
＜現像ユニットについて＞
プロセスカートリッジで述べた現像ユニットに関して、本件の特徴に係る電位関係などについて詳細に説明する。
【００３８】
現像ローラ２２は、図４の通り、例えば金属芯金２２ａにシリコンからなる基層２２ｂ、ウレタンからなる表層２２ｃが順次積層され構成を有するローラであり、同図中の矢印の方向Ｒ４へ回転駆動するように配置されている。本実施例では、所定の直流電圧を現像ローラ２２に印加し（現像ローラ電圧Ｖｄｃ）、摩擦帯電によりマイナスに帯電したトナーが感光ドラム１に接触する現像部において、静電潜像を顕像化し、トナー像を形成している。
【００３９】
現像ブレード２３は、図４の通り、現像ローラ２２に対してカウンター方向を向くようにして当接しており、トナーのコート量の規制及び電荷付与を行っている。本実施例では、トナー層厚規制部材である現像ブレード２３として、厚さ５０〜１２０μｍの板バネ状のＳＵＳ板の支持部材（不図示）を用い、支持部材のバネ弾性を利用して、ブレード部の表面を現像ローラ２２に当接させている。ブレード部は、短手方向において、一端にブレード部が形成され、他端が現像枠体２４に固定されて、支持された構成とされている。一方、ブレード部は、支持部材の表面に導電性のウレタン樹脂からなる薄膜を被覆して形成したものを用いている。さらに、現像ブレード２３に所定直流電圧を印加し（現像ブレード電圧Ｖｂ）、現像ローラ２２に印加する電圧（現像ローラ電圧Ｖｄｃ）との電位差（現像ブレードコントラスト）ΔＶｂを制御することで、トナー帯電量をコントロールしている。ΔＶｂは、ΔＶｂ＝｜Ｖｂ−Ｖｄｃ｜と定義される。
【００４０】
現像ブレード電圧Ｖｂ（トナー層厚規制部材の電圧）及び現像ブレードコントラスト（現像剤層厚規制部材コントラスト）ΔＶｂに関しては本実施例の特徴に関する部分なので後ほど詳細に述べる。
【００４１】
＜タイミングチャートの説明＞
本実施例において、コントローラ２００は、空気中の水分量閾値Ｗを予めＲＯＭ１５１に記憶している。ここでは、一例として、２１．７［ｇ／ｍ３］が、空気中の水分量閾値Ｗとして、ＲＯＭ１５１に記憶されている。
【００４２】
また、本実施例において、環境センサ２０６には、空気中の水蒸気量に応じて電気抵抗が変化する電気抵抗式のセンサを採用している。この電気抵抗式センサはセンサの感湿膜中の水分量が少なくなると抵抗値が大きくなり、水分量が多くなると抵抗値が小さくなる特性を有している。即ちこの抵抗値が空気中の水分量特性を示している。そして、環境センサ２０６はその抵抗値（検知結果）の変化に応じた電気信号をコントローラ２００に出力する。
【００４３】
その後、コントローラ２００は、環境センサ２０６から出力された電気信号から予めＲＯＭ１５１に格納されたテーブルを参照し、空気中の水分量Ｄ［ｇ／ｍ３］を算出する。
【００４４】
コントローラ２００は、メモリに格納された閾値Ｗを読み取り算出した空気中の水分量Ｄと比較し、現像電源駆動回路２０３と、一次転写電源駆動回路２０１の制御を行う。
まず現像電源駆動回路２０３について述べる。
【００４５】
Ｄ＜Ｗの第１状態であった場合、コントローラ２００は、現像ブレードコントラストΔＶｂ＝２００ｖ（Ｖｂ＝−５５０ｖ、Ｖｄｃ＝−３５０ｖ）となるように、現像電源駆動回路２０３とトナー層厚規制部材電源駆動回路２０７に信号を送る。そして、画像形成装置１００は、コントローラ２００の指示に従うバイアス設定で画像形成動作する。このことについては以下も同様である。
【００４６】
一方、検出された水分量が閾値を超える場合、即ち、Ｄ≧Ｗの第２状態であれば、コントローラ２００は、現像ブレードコントラストの絶対値をＤ≦Ｗの場合より大きくする。具体的にコントローラ２００は、現像ブレードコントラストΔＶｂ＝３００ｖ（Ｖｂ＝−６５０ｖ、Ｖｄｃ＝−３５０ｖ）となるよう、現像電源駆動回路２０３とトナー層厚規制部材電源駆動回路２０７に信号を送る。
【００４７】
次に、一次転写電源駆動回路２０１について述べる。
【００４８】
Ｄ＜Ｗの第１状態であった場合、コントローラ２００は、一次転写コントラストΔＶｔｒ＝３００ｖ（Ｖｔｒ＝２００ｖ、Ｖｌ＝−１００ｖ）となるように一次転写電源駆動回路２０１と露光制御部２０４に信号を送る。
【００４９】
一方、検出された水分量が閾値を超える場合、即ち、Ｄ≧Ｗの第２状態であれば、コントローラ２００は、一次転写コントラストΔＶｔｒの絶対値をＤ≦Ｗの場合より大きく設定する。具体的にコントローラ２００は、一次転写コントラストΔＶｔｒ＝４００ｖ（Ｖｔｒ＝３００ｖ、Ｖｌ＝−１００ｖ）となるように、一次転写電源駆動回路２０１と露光制御部２０４に信号を送る。
【００５０】
ここで、現像ブレード電圧Ｖｂと現像ローラ電圧Ｖｄｃの電位差の絶対値を大きくすると、現像ブレード２３から現像ローラ２２へ静電的な力が大きく働くようになるため、現像ブレード２３でのトナーＴの規制力が増加する。その結果、トナーＴの粒径の大きなものは現像ブレード２３で規制されやすくなるため、現像ローラ２２通過後のトナーＴの粒径は小さくなり、感光ドラム１上へ現像されるトナーＴの粒径も小さくなる（図５）。トナーＴの粒径が小さいと感光ドラム１とトナーＴの付着力（鏡映力）が増加する。鏡映力は粒子径の二乗に反比例するため、トナーＴの粒径が小さい場合の中間転写ベルト１０へのトナーＴの一次転写性は著しく低下する。
【００５１】
そしてこの一次転写性低下に対し、一次転写コントラストΔＶｔｒ＝｜Ｖｔｒ−Ｖｌ｜を大きくするために、一次転写電圧Ｖｔｒを無条件に大きくすることは好ましくない。例えば感光ドラム１ａで中間転写ベルト１０に転写されたトナー像が感光ドラム１ｂを通過時、再転写コントラスト（ΔＶｒｔｒ＝Ｖｔｒ−Ｖｄ）において放電量が増加してしまうからである。その結果、中間転写ベルト１０上のトナー像の帯電極性が反転してしまうことで感光ドラム１ｂ上に中間点ベルト１０上のトナー像が再度転写する量（再転写量）が増加してしまう。したがって、本実施例のように、現像ブレード電圧Ｖｂと現像ローラ電圧Ｖｄｃの電位差が大きくなった場合にのみに、一次転写電源が一次転写コントラストΔＶｔｒを適正に変更することが望ましい。
【００５２】
以上のように、コントローラ２００が、空気中の水分量に応じて、現像ブレードコントラストΔＶｂを大きくし、さらに一次転写電圧を増加させ一次転写コントラストΔＶｔｒを大きくすることが本実施例の特徴である。これにより、トナー帯電量を適正に保ち、さらに現像ブレード２３通過後のトナーＴの粒径が小さい場合でも適切な転写性にすることができるようになるため、転写残トナーの発生を抑制しカブリを抑えた画像形成装置を提供することができる。
【００５３】
＜効果確認＞
実施例の効果を確認する目的で、画像形成装置１００にＨＰ  Ｃｏｌｏｒ  ＬａｓｅｒＪｅｔ  Ｐｒｏ  Ｍ４５２ｄｗ（ＨＰ社、商品名）を、記録材ＰにＣＳ−６８０（キヤノンマーケティングジャパン、商品名）を用いた。常温常湿環境（２３℃／５０％）、高温高湿環境（３０℃／８０％）において、実施例の構成、および比較例の構成のカブリの有無と濃度低下による画像不良の発生有無について検証を行った。なお、画像濃度の低下を定量的に測定するために、分光濃度計Ｘ−ｒｉｔｅ５０４（Ｘ−ｒｉｔｅ社製）による測定値も合わせて併記している。
【００５４】
実施例１は、空気中の水分量閾値Ｗを閾値に現像ブレード２３と現像ローラ２２の電位差ΔＶｂを−２００ｖから−３００ｖにしつつ、一次転写電圧Ｖｔｒと露光後電位Ｖｌの電位差ΔＶｔｒも連動させて３００ｖから４００ｖへ変更する構成である。
【００５５】
比較例は、空気中の水分量閾値Ｗを閾値に現像ブレード２３と現像ローラ２２の電位差ΔＶｂを−２００ｖから−３００ｖへと変更する。しかし、一次転写電圧Ｖｔｒと露光後電位Ｖｌの電位差は空気中の水分量閾値Ｗに関わらずΔＶｔｒ＝３００ｖのままの構成である。具体的には図６のような制御を行っている。
【００５６】
表１に実施例１及び比較例のカブリの発生有無と画像濃度低下による画像不良（画像濃度測定値）の発生有無をまとめた。表中の○は画像不良の発生のなし、×は画像不良の発生を表している。
【００５７】
【表１】
2020140125.tif 000003
【００５８】
実施例１は現像ブレード２３と現像ローラ２２の電位差ΔＶｂを常温常湿環境から高温高湿環境へ変更に伴い−２００ｖから−３００ｖへと絶対値を大きくしつつ、一次転写コントラストΔＶｔｒを３００ｖから４００ｖへと連動させて変更している。現像ブレードコントラストΔＶｂを環境によって変更することで、トナー帯電量を適正に保つことができるようになり、カブリなどの発生を抑制することができる。また、一次転写コントラストΔＶｔｒもΔＶｂの変化に連動させて変更することでトナーＴの粒径の小さなものも適正に一次転写することが可能になる。その結果、画像濃度（Ｘ−ｒｉｔｅ５０４測定値）は常温常湿環境と高温高湿環境とで大きく変わりがなく、画像濃度を維持する結果となった。
【００５９】
一方、比較例の構成では、現像ブレード２３と現像ローラ２２の電位差ΔＶｂを常温常湿環境から高温高湿環境へ変更に伴い−２００ｖから−３００ｖへと絶対値を大きくすることでトナー帯電量を適正に保つことができるようになり、カブリの発生は抑制できる。しかしながら、一次転写コントラストΔＶｔｒが十分ではないため感光ドラム１上へ現像されるトナーＴの粒径が小さいものは中間転写ベルト１０上に適正に一次転写することができなくなる。その結果、一次転写不良が発生することになる。
【００６０】
以上説明した通り、本実施例では、現像ブレード２３に現像ブレード電圧Ｖｂを印加し、かつ現像ブレード電圧Ｖｂと現像ローラ電圧Ｖｄｃの電位差（現像ブレードコントラストΔＶｂ）を大きくしてトナーの帯電量を適正に保つことで画像不良を抑制できた。
【００６１】
＜その他の構成＞
本実施例では、現像ブレード２３は支持部材としてＳＵＳ板を用いたものの、上記実施例に限らず、例えばリン青銅やアルミニウム等の金属薄板を用いても良い。
【００６２】
また、上記実施例においては支持部材の表面に導電性のウレタン樹脂からなる薄膜を被覆して形成したものを用いているものの、上記実施例に限らず、ポリアミドエラストマーやウレタンゴムからなる導電性樹脂からなる薄膜を被覆して形成したものを用いている。あるいは、導電性の支持部材そのものを現像ブレード２３として現像ローラ２２に当接させてもよい。
【００６３】
また、図１のタイミングチャートの説明では、コントローラ２００は、検出値Ｄが閾値Ｗ未満か否かで、ΔＶｂやΔＶｔｒのバイアス制御を段階的或いはデジタル的に行っていた。しかしこれに限定されない。例えば図７のように、環境センサ２０６の検出値に応じて、コントローラ２００が、現像ブレードコントラストΔＶｂの変化に、一次転写コントラストΔＶｔｒを連動させて連続的に変化させても良い。
【００６４】
また、本実施例では、トナーＴの正規帯電極性が負であるものを用いたものの、上記実施例に限らず、トナーＴの正規帯電極性が正であるものを用いても良い。この場合は、本実施例に記載した電位関係の正負をすべて逆転させればよい。
【００６５】
［実施例２］
第２の実施例における構成について、実施例１と共通する部材・部分には同じ符号を付して再度の説明を省略する。
【００６６】
実施例１は現像ブレード電圧Ｖｂと現像ローラ電圧Ｖｄｃの電位差ΔＶｂが大きくなった場合に、連動させて一次転写電源駆動回路１５が一次転写電圧Ｖｔｒを大きくすることで一次転写電圧Ｖｔｒと露光後電位Ｖｌの電位差ΔＶｔｒを大きくした。一方、実施例２では露光制御部２０４が露光後電位Ｖｌの絶対値を大きくすることで一次転写電圧Ｖｔｒと露光後電位Ｖｌの電位差ΔＶｔｒを大きくすることが特徴である。本実施例の電位関係の特徴及び、実施例２特有の作用効果について以下で詳しく説明する。
【００６７】
＜特徴及び作用効果＞
本実施例では、実施例１と同様の理由で、現像ブレード電圧Ｖｂと現像ローラ電圧Ｖｄｃの電位差ΔＶｂが大きくなった場合に、コントローラ２００は一次転写電圧Ｖｔｒと露光後電位Ｖｌの電位差ΔＶｔｒを連動させて大きくしている。なお、本実施例における被帯電電位Ｖｄ（感光ドラム１表面上の暗部電位）はＶｄ＝−７００ｖとする。また、実施例１と同様に、コントローラ２００は、空気中の水分量閾値Ｗを予めＲＯＭ１５１に記憶している。ここでも、一例として、２１．７［ｇ／ｍ３］が空気中の水分量閾値ＷとしてＲＯＭ１５１に記憶されている。また、環境センサ２０６は実施例１と同様とする。以下、図８を説明する。
【００６８】
Ｄ＜Ｗの第１状態であった場合、コントローラ２００は、現像ブレードコントラストΔＶｂ＝２００ｖ（Ｖｂ＝−５５０ｖ、Ｖｄｃ＝−３５０ｖ）となるように、現像電源駆動回路２０３とトナー層厚規制部材電源駆動回路２０７に信号を送る。画像形成装置１００は、コントローラ２００の指示に従うバイアス設定で画像形成動作する。このことについては以下も同様である。
【００６９】
一方Ｄ≧Ｗの第２状態であれば、ΔＶｂ＝３００ｖ（Ｖｂ＝−７５０ｖ、Ｖｄｃ＝−４５０ｖ）となるようコントローラ２００は、現像電源駆動回路２０３とトナー層厚規制部材駆動回路２０７に信号を送る。またこのとき、コントローラ２００は、露光制御部２０４を制御し、Ｖｌ＝−１００から、Ｖｌ＝−２００に変化させている。
【００７０】
次に、一次転写コントラストについて述べる。
【００７１】
Ｄ＜Ｗの第１状態であった場合、コントローラ２００は、一次転写コントラストΔＶｔｒ＝３００ｖ（Ｖｔｒ＝２００ｖ、Ｖｌ＝−１００ｖ）となるように一次転写電源駆動回路２０１と露光制御部２０４に信号を送る。ここで、Ｖｌを変化させる方法について詳しく説明する。具体的には、コントローラ２００が露光制御部２０４を空気中の水分量の情報に基づいて制御し、レーザーの露光出力値（光量μＪ／ｃｍ２）を、露光後電位Ｖｌが所望する値（例えば−２００Ｖ）になるよう変化させる。図８の場合だと露光後電位Ｖｌを−１００ｖから−２００ｖに変化させるため、コントローラ２００が露光制御部２０４にレーザーの光量を弱くする命令（例えば０．３μＪ／ｃｍ２から０．２μＪ／ｃｍ２に光量を変更）を与え露光後電位Ｖｌを低下させる。なお、ここでの露光後電位Ｖｌを低下させるとは、絶対値としては大きくなっている。
【００７２】
また、Ｄ≧Ｗの第２状態であればコントローラ２００は、一次転写コントラストΔＶｔｒ＝４００ｖ（Ｖｔｒ＝２００ｖ、Ｖｌ＝−２００ｖ）となるように、一次転写電源駆動回路２０１と露光制御部に２０４に信号を送る。露光制御部２０４は、コントローラ２００の指示に従い、レーザー光量を変更する。
【００７３】
このとき、露光後電位Ｖｌを変えているので、コントローラ２００は、現像ローラに担持されたトナーをドラム上へ十分に現像するために、現像コントラストΔＶｃｏｎｔ＝Ｖｄｃ−Ｖｌを露光後電位Ｖｌの変化前後で一定に保つようにしている。
【００７４】
以上のようにして実施例１と同様の作用効果を得ることができる。
【００７５】
次に本実施例特有の作用効果について説明する。
【００７６】
実施例１の項で、一次転写電圧Ｖｔｒを無条件に大きくすることは、上流側で中間転写ベルト１０上に転写されたトナー像が下流側の感光ドラム１上に再度転写してしまう量（再転写量）が増加するため好ましくないことを説明した。しかしながら、本実施例のように、一次転写電圧Ｖｔｒを変えることなく露光後電位Ｖｌのみで一次転写コントラストΔＶｔｒを変える場合は、図８の通り、下流側における放電量（再転写コントラストΔＶｒｔｒ＝Ｖｔｒ−Ｖｄ）は一定に保つことができる。また、本実施例においてはΔＶｒｔｒ＝２００ｖ−（−７００ｖ）＝９００ｖで一定としている。
【００７７】
以上のように、コントローラ２００は、空気中の水分量に応じて、現像ブレードコントラストΔＶｂを大きくし、さらに露光後電位ＶＬを増加させ一次転写コントラストΔＶｔｒを大きくすることが本実施例の特徴である。これにより、トナー帯電量を適正に保ち、さらに現像ブレード２３通過後のトナーＴの粒径が小さい場合でも適切な転写性にすることができるようになるため、転写残トナーの発生を抑制しカブリを抑えた画像形成装置を提供することができた。
【００７８】
＜その他の構成＞
実施例２のその他の構成として、一次転写電圧印加手段としての一次転写電源１５（高圧電源）からの出力を固定にできるため、一次転写電源１５を設けずとも、転写電源として二次転写電源２１を一次転写のための転写電源することもできる。すなわち、二次転写電源２１を一次転写と二次転写の共通の転写電源にすることができる。具体的には、図９のように、二次転写対向ローラ１３と駆動ローラ１１、テンションローラを電圧維持素子であるツェナーダイオード１５を介して接地させる。また、電圧維持素子は、電流供給部材から電流が供給されることによって所定の電圧を維持している。張架部材（二次転写対向ローラ１３と駆動ローラ１１）の間の位置には中間転写ベルト１０内周面に接触する接触部材である一次転写ローラが配置されている。
【００７９】
このときツェナーダイオードのツェナー電圧の絶対値が一次転写電圧Ｖｔｒになるため、このツェナー電圧の絶対値を２００ｖに設定すればよい。このようにすることで、一次転写電源１５（高圧電源）を設けずとも、一次転写電圧Ｖｔｒを一定にできるようになるため、装置の小型化、低コスト化を実現できる。
【００８０】
なお、本実施例その他の構成において、一次転写電圧Ｖｔｒを安定化させるために、電圧安定化素子としてツェナーダイオード１５を使用したが、同様の効果を得られる素子であれば、別の電圧安定化素子でも良く、たとえばバリスタなどの素子を用いても良い。
【００８１】
実施例１と同様に本実施例では、現像ブレード２３は支持部材としてＳＵＳ板を用いたものの、上記実施例に限らず、例えばリン青銅やアルミニウム等の金属薄板を用いても良い。
【００８２】
また、上記実施例においては支持部材の表面に導電性のウレタン樹脂からなる薄膜を被覆して形成したものを用いているものの、上記実施例に限らず、ポリアミドエラストマーやウレタンゴムからなる導電性樹脂からなる薄膜を被覆して形成したものを用いている。あるいは、導電性の支持部材そのものを現像ブレード２３として現像ローラ２２に当接させてもよい。
【００８３】
また、実施例１で図１のタイミングチャートを図７のタイミングチャートに変更させたように、例えば図１０のように、現像ブレードコントラストΔＶｂの連続的な変化に対して一次転写コントラストΔＶｔｒを連動させて連続的に変えてもよい。
【００８４】
また、実施例１と同様に本実施例では、トナーＴの正規帯電極性が負であるものを用いたものの、上記実施例に限らず、トナーＴの正規帯電極性が正であるものを用いても良い。この場合は、本実施例に記載した電位関係の正負をすべて逆転させればよい。
【００８５】
また、実施例１及び２の画像形成装置は、画像形成装置１００から感光ドラムクリーニング装置を無くし、現像装置４により現像と同時にクリーニング・回収するクリーナーレス方式を採用したものであるが、本発明はこれに限定されるものではない。クリーニング装置を備えた画像形成装置に本発明を適用した場合でも同様の効果を得ることができる。
【００８６】
実施例１及び２では転写電圧Ｖｔｒと露光後電位Ｖｌのどちらか一方の電圧を変更させる場合を例示した。しかし本発明の画像形成装置は、一次転写コントラストΔＶｔｒを空気中の水分量に応じて増加させるため、転写電圧Ｖｔｒと露光後電位Ｖｌの両方を変更させる制御を採用してもよい。
【００８７】
実施例１及び２では現像ブレードコントラストΔＶｂの増加に際して、現像ブレード電圧Ｖｂと現像ローラ電圧Ｖｄｃの両方、もしくは現像ブレード電圧Ｖｂのみを変化させていた。しかし、現像ローラ電圧Ｖｄｃのみを変更させ現像ブレードコントラストΔＶｂを増加させる制御を採用してもよい。この場合、現像コントラスト（ΔＶｃｏｎｔ＝Ｖｌ−Ｖｄｃ）＝一定のため、Ｖｄｃが減少することに連動してＶｌの値も減少し、一次転写コントラストΔＶｔｒ＝｜Ｖｔｒ−Ｖｌ｜により、Ｖｌの減少に応じて一次転写コントラストΔＶｔｒが増加する。
【００８８】
なお、転写手段は各色の感光ドラム１から中間転写ベルト１０に各色のトナー像を一次転写した後に、記録材Ｐに各色のトナー像を二次転写する中間転写方式に限らない。例えば、図１１に示されるように、搬送ローラ８によって搬送される被転写体である記録材Ｐに感光ドラム１から直接転写する直接転写方式であってもよい。
【００８９】
以下に図１１に示される直接転写方式による画像形成装置１０１の説明をする。
【００９０】
感光ドラム６１（像担持体）は、図中矢印Ｒｄ方向に回転駆動される。帯電ローラ６２によって帯電ローラ電圧Ｖｄに帯電した感光ドラム１の表面は、露光装置６３によって、画像情報に基づいた画像露光がなされ、静電潜像（静電像）が形成される。ここで感光ドラム６１においてスキャナユニット６３によってベタ黒画像を印字するための露光された部分の表面電位、露光後電位Ｖｌが形成される。感光ドラム１上に形成された静電潜像は、現像装置６４によってトナー像として現像される。現像装置４は、図４と同様に現像ローラ６４ａ（現像剤担持体）や現像電圧を印加する手段（不図示）を有する。そして、この現像ローラ６４ａに、図示しない現像電源（高圧電源）から現像電圧Ｖｄｃが印加されることによって、感光ドラム６１上の静電潜像に現像剤が付着されて、トナー像として現像（顕像化）される。本実施例では、一様に帯電された後に露光されることで電位の絶対値が低下した露光部に、感光ドラム６１の帯電極性と同極性に帯電したトナーを付着させる反転現像方式で、トナー像が形成される。
【００９１】
一方、被転写体である記録材Ｐは、記録材カセット６６に収納されており、給送ローラ６７によって１枚ずつ送り出され、搬送ローラ６８によって転写ニップ６９に搬送され、記録材Ｐにトナー像が転写される。
【００９２】
感光ドラム６１上に形成されたトナー像は、転写ローラ６５に転写電圧Ｖｔｒが印加されることで被転写体である記録材Ｐに転写される。
【００９３】
また現像ローラ部に関して、図４のような現像ブレード（現像剤層厚規制部材）を有している形式であってもよい。
【００９４】
水分量を検知する環境センサ７０は空気中の水分量を測定する。測定結果をもとに、
コントローラ３００は、実施例１、２と同様に図３に示されるように各駆動回路の制御を行うことで上述した現像電圧Ｖｄｃ、帯電ローラ電圧Ｖｄ、転写電圧Ｖｔｒ、露光後電位Ｖｌの少なくとも一方を空気中の水分量の状態に応じて変化させる。
【符号の説明】
【００９５】
１００  画像形成装置
１０１  直接転写方式による画像形成装置
Ｓａ、Ｓｂ、Ｓｃ、Ｓｄ  プロセスカートリッジ
１ａ、１ｂ、１ｃ、１ｄ  感光ドラム（感光体）
２ａ、２ｂ、２ｃ、２ｄ  帯電ローラ
３ａ、３ｂ、３ｃ、３ｄ  露光装置
４ａ、４ｂ、４ｃ、４ｄ  現像装置
１０  中間転写ベルト
１１  駆動ローラ
１２  テンションローラ
１３  二次転写対向ローラ
１４ａ、１４ｂ、１４ｃ、１４ｄ  一次転写ローラ
１５ａ、１５ｂ、１５ｃ、１５ｄ  一次転写電源
１６  電圧維持素子
１９  トナー層厚規制部材電源
２０  二次転写ローラ
２１  二次転写電源
２２  現像ローラ
２３  現像ブレード
２３ａ  支持部材
２３ｂ  ブレード部
２４ａ  現像室
２６  供給ローラ
６１  感光ドラム
６２  帯電ローラ
６３  露光装置
６４  現像装置
６４ａ  現像ローラ
６５  転写ローラ
７０  環境センサ
Ｔ  トナー
Ｐ  記録材
Ｌａ、Ｌｂ、Ｌｃ、Ｌｄ  レーザー光
２０１  一次転写電源駆動回路
２０２  二次転写電源駆動回路
２０３  現像電源駆動回路
２０４  露光制御部
２０５  帯電電源駆動回路
２０６  環境センサ
２０７  トナー層厚規制部材電源駆動回路
【図１】
2020140125.tif 000004
【図２】
2020140125.tif 000005
【図３】
2020140125.tif 000006
【図４】
2020140125.tif 000007
【図５】
2020140125.tif 000008
【図６】
2020140125.tif 000009
【図７】
2020140125.tif 000010
【図８】
2020140125.tif 000011
【図９】
2020140125.tif 000012
【図１０】
2020140125.tif 000013
【図１１】
2020140125.tif 000014